(57)【要約】【課題】  雷サージによるパソコンの損傷を容易に且つ確実に防止することができる雷情報取得プログラム及び記録媒体並びにコンピュータを提供する。【解決手段】  発雷予測地域を含む発雷予測情報１を有する雷情報３を格納する雷情報サーバ２０にネットワークを介して接続されたコンピュータ４０上で動作する雷情報取得プログラム１０であって、前記雷情報サーバ２０から当該コンピュータ４０の設置場所に関連する雷情報３を定期的に取得する雷情報取得手段１１と、当該コンピュータ４０を機能させている他のプログラム４１Ａ、４１Ｂ及びそれらが使用している作業ファイル４２Ａ、４２Ｂを監視してファイル情報４Ａ、４Ｂを取得する監視手段１２と、前記雷情報取得手段１１が取得した雷情報３と前記監視手段１２が取得した前記ファイル情報４Ａ、４Ｂとに基づいて前記作業ファイル４２Ａ、４２Ｂを保存する旨の警報５を発する警報手段１３として当該コンピュータ４０を機能させる。【選択図】        図２
2005222296.tif 000002
【特許請求の範囲】
【請求項１】
発雷予測地域を含む発雷予測情報を有する雷情報を格納する雷情報サーバにネットワークを介して接続されたコンピュータ上で動作するコンピュータプログラムであって、
前記雷情報サーバから当該コンピュータの設置場所に関連する雷情報を定期的に取得する雷情報取得手段と、当該コンピュータを機能させている他のプログラム及び他のプログラムが使用している作業ファイルを監視してファイル情報を取得する監視手段と、前記雷情報取得手段が取得した雷情報と前記監視手段が取得した前記ファイル情報とに基づいて前記作業ファイルを保存する旨の警報を発する警報手段として当該コンピュータを機能させることを特徴とする雷情報取得プログラム。
【請求項２】
請求項１において、前記警報手段の警報から前記作業ファイルが一定時間以上保存されなかった場合には、前記警報手段が他のプログラムに前記作業ファイルを保存させるように当該コンピュータを機能させることを特徴とする雷情報取得プログラム。
【請求項３】
請求項１又は２において、前記警報手段が、前記雷情報に基づいて前記コンピュータの電源を切断する旨の警報を発するように当該コンピュータを機能させることを特徴とする雷情報取得プログラム。
【請求項４】
請求項３において、前記警報手段の警報から前記コンピュータの電源が一定時間以上切断されなかった場合には、前記警報手段が前記コンピュータの電源を切断するように当該コンピュータを機能させることを特徴とする雷情報取得プログラム。
【請求項５】
請求項１〜４の何れかにおいて、前記発雷予測地域が、メッシュ状に分割された区画単位であり、前記雷情報取得手段が、前記コンピュータの設置場所を前記区画に対応させて、前記雷情報を取得するように当該コンピュータを機能させることを特徴とする雷情報取得プログラム。
【請求項６】
請求項５において、前記雷情報取得手段が前記コンピュータの設置場所に対応する区画及びこの区画近傍の区画を取得すると共に、前記警報手段が前記発雷予測地域と前記区画との関係を考慮して警報レベルを調整するように前記コンピュータを機能させることを特徴とする雷情報取得プログラム。
【請求項７】
請求項１〜６の何れかにおいて、前記雷情報取得手段が取得する前記雷情報が、前記コンピュータの位置に関連する落雷の影響が予想される対象電力系統及び設備を選択したものであることを特徴とする雷情報取得プログラム。
【請求項８】
請求項１〜７の何れかの雷情報取得プログラムを記録したコンピュータ読み取り可能な記録媒体。
【請求項９】
発雷予測地域を含む発雷予測情報を有する雷情報を格納する雷情報サーバにネットワークを介して接続されたコンピュータであって、
設置場所の位置情報に関連する雷情報を前記雷情報サーバから定期的に取得する雷情報取得手段と、起動している他のプログラム及び他のプログラムが使用している作業ファイルを監視してファイル情報を取得する取得手段と、前記雷情報取得手段が取得した雷情報と前記監視手段が取得した前記ファイル情報に基づいて前記ファイルを保存する旨の警報を発する警報手段とを具備することを特徴としたコンピュータ。
【請求項１０】
請求項９において、前記警報手段の警報から前記作業ファイルが一定時間以上保存されなかった場合には、前記警報手段が他のプログラムに前記作業ファイルを保存させることを特徴とするコンピュータ。
【請求項１１】
請求項９又は１０において、前記警報手段が、前記雷情報に基づいて電源を切断する旨の警報を発することを特徴とするコンピュータ。
【請求項１２】
請求項１１において、前記警報手段の警報から電源が一定時間以上切断されなかった場合には、前記警報手段が電源を切断することを特徴とするコンピュータ。
【請求項１３】
請求項９〜１２の何れかにおいて、前記発雷予測地域が、メッシュ状に分割された区画単位であり、前記雷情報取得手段が、設置場所を前記区画に対応させて、前記雷情報を取得することを特徴とするコンピュータ。
【請求項１４】
請求項１３において、前記雷情報取得手段が設置場所に対応する区画及びこの区画近傍の区画を取得すると共に、前記警報手段が前記発雷予測地域と前記区画との関係を考慮して警報レベルを調整することを特徴とするコンピュータ。
【請求項１５】
請求項９〜１４の何れかにおいて、前記雷情報取得手段が取得する前記雷情報が、設置場所に関連する落雷の影響が予想される対象電力系統及び設備を選択したものであることを特徴とするコンピュータ。
【発明の詳細な説明】
【技術分野】
【０００１】
本発明は、雷情報を蓄積した雷情報サーバからネットワークを介して雷情報を得て安全な状況となるように対応させる雷情報取得プログラム及びそれを記録した記録媒体並びにコンピュータに関する。
【背景技術】
【０００２】
例えば、送電線、送電線鉄塔等に直接落雷して高電流が流れる直撃雷や、雷雲の発生又は送電線、送電線鉄塔等の付近に落雷した誘導雷などにより、雷サージが発生することが知られている。この雷サージの発生によって電子機器には大きな故障電流が流れるので、電子機器が壊れてしまうという問題がある。特にコンピュータなどの電子機器には、例えば、コンセントに接続された電源線、電話回線などに接続された通信網線等があるため、これら電源線、通信網線等を介して、雷サージにより故障する危険性が高いという問題がある。
【０００３】
また、直撃電により送電線に大きな故障電流が流れた際に、送電設備では、この故障電流を検出して故障区間を切り離すことにより停電を防止している。そして、落雷の発生から故障区間の切り離しまでのごく短時間に、停電には至らないものの瞬間的に電圧が低下する、いわゆる瞬時電圧低下（以下、瞬低とも言う）が発生することが知られている。このような瞬時電圧低下は、短時間に電圧が下がって再び回復するため、人が気づかない程度であるが、電圧に敏感な電子機器等にとっては重大な問題であり、例えば、コンピュータの作業中のファイルが消えてしまうなどの問題を招く虞がある。
【０００４】
そこで、このような雷サージに伴う問題や瞬時電圧低下に伴う問題などを解決するため、例えば、気象データ、過去の落雷データなどから落雷位置情報及び落雷強度を予測し、予測した落雷位置情報に基づいて、位置情報に対応して送配電線路を登録したデータベースから、落雷の影響のある送配電線路を抽出し、予測した落雷位置情報及び落雷強度情報及び送電線路が備える耐雷設備の耐雷特性に基づいて抽出した送配電線路の各地点の落雷強度を算出し、送電線路を利用する顧客に算出した事故発生率を含む落雷情報を提供する落雷情報提供システムが提案されている（例えば、特許文献１参照）。
【０００５】
しかしながら、上述した落雷情報提供システムは、単に予測した事故発生率を含む落雷位置情報を顧客に提供しているに過ぎず、情報を受け取った各顧客は、各装置の電源を切断したり、予備電源に切り替えるなどの雷対策が必要である。また、顧客が主体性をもって落雷情報提供システムを起動し、情報を確認するという行動を起こさない限り、発雷していることに気づかないという問題がある。このため、各顧客は、提供された落雷情報から自己の判断で雷対策を施さなくてはならず、顧客毎に適正な雷対策が行われない可能性が高いという問題がある。
【０００６】
また、従来の落雷情報提供システムは、顧客に事故発生率を含む落雷情報を提供するため、各顧客は雷により故障の虞がある全ての機器に雷対策を施さなくてはならず、一つでも雷対策を施さない機器があると、雷対策されなかった機器が雷サージによって破壊されてしまうという問題がある。特にコンピュータは精密機器であるため、雷サージや瞬時電圧低下によって作業ファイルが紛失されやすく、また、コンピュータ自体が破壊されやすい。
【０００７】
【特許文献１】特開２００３−４７１７３号広報（第４〜５頁、第１〜２図）
【発明の開示】
【発明が解決しようとする課題】
【０００８】
本発明は、このような事情に鑑み、雷サージによるパソコンの損傷を容易に且つ確実に防止することができる雷情報取得プログラム及び記録媒体並びにコンピュータを提供することを課題とする。
【課題を解決するための手段】
【０００９】
上記課題を解決する本発明の第１の態様は、発雷予測地域を含む発雷予測情報を有する雷情報を格納する雷情報サーバにネットワークを介して接続されたコンピュータ上で動作するコンピュータプログラムであって、前記雷情報サーバから当該コンピュータの設置場所に関連する雷情報を定期的に取得する雷情報取得手段と、当該コンピュータを機能させている他のプログラム及び他のプログラムが使用している作業ファイルを監視してファイル情報を取得する監視手段と、前記雷情報取得手段が取得した雷情報と前記監視手段が取得した前記ファイル情報とに基づいて前記作業ファイルを保存する旨の警報を発する警報手段として当該コンピュータを機能させることを特徴とする雷情報取得プログラムにある。
【００１０】
かかる第１の態様では、コンピュータの設置場所で落雷の発生や、所定時間後に発雷が予測される場合などに、顧客に対してコンピュータの他のプログラムが使用している作業ファイルを保存する旨の警報を発することで、雷サージや瞬時電圧低下によって作業ファイルが紛失するのを容易に且つ確実に防止することができる。
【００１１】
本発明の第２の態様は、第１の態様において、前記警報手段の警報から前記作業ファイルが一定時間以上保存されなかった場合には、前記警報手段が他のプログラムに前記作業ファイルを保存させるように当該コンピュータを機能させることを特徴とする雷情報取得プログラムにある。
【００１２】
かかる第２の態様では、他のプログラムに作業ファイルを保存させることで、さらに確実に作業ファイルの紛失を防止できると共に、顧客がコンピュータを操作することなく作業ファイルの保存が行われるため、顧客がコンピュータの前から席を外している場合や、常に稼働しているサーバ用途のコンピュータであっても常に安全性を保つことができる。
【００１３】
本発明の第３の態様は、第１又は２の態様において、前記警報手段が、前記雷情報に基づいて前記コンピュータの電源を切断する旨の警報を発するように当該コンピュータを機能させることを特徴とする雷情報取得プログラムにある。
【００１４】
かかる第３の態様では、雷サージや瞬時電圧低下によるコンピュータの破壊を容易に且つ確実に防止できる。
【００１５】
本発明の第４の態様は、第３の態様において、前記警報手段の警報から前記コンピュータの電源が一定時間以上切断されなかった場合には、前記警報手段が前記コンピュータの電源を切断するように当該コンピュータを機能させることを特徴とする雷情報取得プログラムにある。
【００１６】
かかる第４の態様では、コンピュータの電源を切断させることで、さらに確実にコンピュータの破壊を防止できると共に、顧客がコンピュータを操作することなくコンピュータの電源を切断できるため、顧客がコンピュータの前から席を外している場合や、常に稼働しているサーバ用途のコンピュータであっても常に安全性を保つことができる。
【００１７】
本発明の第５の態様は、第１〜４の何れかの態様において、前記発雷予測地域が、メッシュ状に分割された区画単位であり、前記雷情報取得手段が、前記コンピュータの設置場所を前記区画に対応させて、前記雷情報を取得するように当該コンピュータを機能させることを特徴とする雷情報取得プログラムにある。
【００１８】
かかる第５の態様では、発雷予測地域の区画に合わせて雷情報を取得することで、コンピュータの設置場所に対応した雷情報を少ないデータ量で簡便に取得することができる。
【００１９】
本発明の第６の態様は、第５の態様において、前記雷情報取得手段が前記コンピュータの設置場所に対応する区画及びこの区画近傍の区画を取得すると共に、前記警報手段が前記発雷予測地域と前記区画との関係を考慮して警報レベルを調整するように前記コンピュータを機能させることを特徴とする雷情報取得プログラムにある。
【００２０】
かかる第６の態様では、作業ファイルの紛失及びコンピュータの破壊をさらに確実に防止できる。
【００２１】
本発明の第７の態様は、第１〜６の何れかの態様において、前記雷情報取得手段が取得する前記雷情報が、前記コンピュータの位置に関連する落雷の影響が予想される対象電力系統及び設備を選択したものであることを特徴とする雷情報取得プログラムにある。
【００２２】
かかる第７の態様では、各顧客のコンピュータの瞬時電圧低下を非常に簡便に予測することができ、瞬時電圧低下による作業ファイルの紛失及びコンピュータの破壊を防止できる。
【００２３】
本発明の第８の態様は、第１〜７の何れかの態様の雷情報取得プログラムを記録したコンピュータ読み取り可能な記録媒体にある。
【００２４】
かかる第８の態様では、コンピュータ上で記録媒体に格納された雷情報取得プログラムを実行することにより、雷サージ及び瞬時電圧低下による当該コンピュータの作業ファイルの紛失及びコンピュータの破壊を防止することができる。
【００２５】
本発明の第９の態様は、発雷予測地域を含む発雷予測情報を有する雷情報を格納する雷情報サーバにネットワークを介して接続されたコンピュータであって、設置場所の位置情報に関連する雷情報を前記雷情報サーバから定期的に取得する雷情報取得手段と、起動している他のプログラム及び他のプログラムが使用している作業ファイルを監視してファイル情報を取得する取得手段と、前記雷情報取得手段が取得した雷情報と前記監視手段が取得した前記ファイル情報に基づいて前記ファイルを保存する旨の警報を発する警報手段とを具備することを特徴としたコンピュータにある。
【００２６】
かかる第９の態様では、コンピュータの設置場所で落雷の発生や、所定時間後に発雷が予測される場合などに、顧客に対してコンピュータの他のプログラムが使用している作業ファイルを保存する旨の警報を発することで、雷サージや瞬時電圧低下によって作業ファイルが紛失するのを容易に且つ確実に防止することができる。
【００２７】
本発明の第１０の態様は、第９の態様において、前記警報手段の警報から前記作業ファイルが一定時間以上保存されなかった場合には、前記警報手段が他のプログラムに前記作業ファイルを保存させることを特徴とするコンピュータにある。
【００２８】
かかる第１０の態様では、他のプログラムに作業ファイルを保存させることで、さらに確実に作業ファイルの紛失を防止できると共に、顧客がコンピュータを操作することなく作業ファイルの保存が行われるため、顧客がコンピュータの前から席を外している場合や、常に稼働しているサーバ用途のコンピュータであっても常に安全性を保つことができる。
【００２９】
本発明の第１１の態様は、第９又は１０の態様において、前記警報手段が、前記雷情報に基づいて電源を切断する旨の警報を発することを特徴とするコンピュータにある。
【００３０】
かかる第１１の態様では、雷サージや瞬時電圧低下によるコンピュータの破壊を容易に且つ確実に防止できる。
【００３１】
本発明の第１２の態様は、第１１の態様において、前記警報手段の警報から電源が一定時間以上切断されなかった場合には、前記警報手段が電源を切断することを特徴とするコンピュータにある。
【００３２】
かかる第１２の態様では、コンピュータの電源を切断させることで、さらに確実にコンピュータの破壊を防止できると共に、顧客がコンピュータを操作することなくコンピュータの電源を切断できるため、顧客がコンピュータの前から席を外している場合や、常に稼働しているサーバ用途のコンピュータであっても常に安全性を保つことができる。
【００３３】
本発明の第１３の態様は、第９〜１２の何れかの態様において、前記発雷予測地域が、メッシュ状に分割された区画単位であり、前記雷情報取得手段が、設置場所を前記区画に対応させて、前記雷情報を取得することを特徴とするコンピュータにある。
【００３４】
かかる第１３の態様では、発雷予測地域の区画に合わせて雷情報を取得することで、コンピュータの設置場所に対応した雷情報を少ないデータ量で簡便に取得することができる。
【００３５】
本発明の第１４の態様は、第１３の態様において、前記雷情報取得手段が設置場所に対応する区画及びこの区画近傍の区画を取得すると共に、前記警報手段が前記発雷予測地域と前記区画との関係を考慮して警報レベルを調整することを特徴とするコンピュータにある。
【００３６】
かかる第１４の態様では、作業ファイルの紛失及びコンピュータの破壊をさらに確実に防止できる。
【００３７】
本発明の第１５の態様は、第９〜１４の何れかの態様において、前記雷情報取得手段が取得する前記雷情報が、設置場所に関連する落雷の影響が予想される対象電力系統及び設備を選択したものであることを特徴とするコンピュータにある。
【００３８】
かかる第１５の態様では、各顧客のコンピュータの瞬時電圧低下を非常に簡便に予測することができ、瞬時電圧低下による作業ファイルの紛失及びコンピュータの破壊を防止できる。
【発明の効果】
【００３９】
本発明の雷情報取得プログラムによれば、コンピュータの設置場所で落雷の発生や、所定時間後に発雷が予測される場合などに、顧客に対してコンピュータの他のプログラムが使用している作業ファイルを保存する旨の警報を発することで、雷サージや瞬時電圧低下によって作業ファイルが紛失するのを容易に且つ確実に防止することができる。また、各顧客は、コンピュータの雷対策を間違えることなく安全性を高めることができる。
【発明を実施するための最良の形態】
【００４０】
以下に本発明を実施形態に基づいて詳細に説明する。
【００４１】
図１は、本発明の一実施形態に係るネットワークの概要を示すブロック図であり、図２は、雷情報取得プログラムの概要を示すブロック図である。
【００４２】
図１に示すように、雷情報取得プログラム１０は、雷情報サーバ２０に電話線、光ファイバ線、無線等を介したインターネット、専用線などのネットワーク３０を介して接続された各顧客のコンピュータ４０に常駐するものである。
【００４３】
雷情報サーバ２０は、図２に示すように、本実施形態では、気象協会などの外部から発雷予測情報１を取得すると共に、落雷位置標定装置５０から落雷情報２を取得する発雷予測取得手段２１を具備する。そして、雷情報サーバ２０は、発雷予測手段２１が取得したこれら発雷予測情報１及び落雷情報２からなる雷情報３を格納したデータベース２２を有する。
【００４４】
落雷位置標定装置（ＬＬＳ）５０は、例えば、落雷地点（緯度・経度）、落雷強度、落雷頻度、落雷時刻などからなる落雷情報２を検出するものであり、落雷情報２は同時に気象協会へ送信される。気象協会は、このような落雷情報２や気象情報に基づいて発雷予測を行い、発雷予測情報１を送信する。ここで、発雷予測情報１は、予めメッシュ状の所定のエリアに分割された区画単位毎に予測された発雷予測地域が含まれており、これにより、発雷が予測される区画が特定される。また、発雷予測情報１には、発雷予測時刻が含まれており、これにより発雷が予測される時刻が特定される。なお、本実施形態では、気象協会に落雷位置標定装置５０から落雷情報２を送り、気象協会が予測した発雷予測情報１を取得するようにしたが、特にこれに限定されず、例えば、過去に落雷位置標定装置５０が取得した落雷情報と、現状での落雷情報の経持変化とから発雷予測を行って発雷予測情報を取得するようにしてもよい。このような過去の落雷情報と現状での落雷情報の経持変化とを用いた発雷予測は、人為的に行ってもよく、また、予測サーバ等によって自動的に行わせるようにしてもよい。
【００４５】
また、各顧客６０のそれぞれのコンピュータ４０には、雷情報取得プログラム１０が常駐するように実行されている。さらに、コンピュータ４０上では、雷情報取得プログラム１０と同時に他のプログラム４１Ａ、４１Ｂが実行されている。ここで他のプログラム４１Ａ、４１Ｂとは、例えば、文章作成ソフト、表計算ソフト、画像及び動画編集ソフトなどの特定のファイルを作成及び更新するものや、画像及び動画ビューアなどのファイルを表示するだけのものなどが挙げられる。そして、他のプログラム４１Ａ、４１Ｂがそれぞれ使用しているファイルをここでは作業ファイル４２Ａ、４２Ｂと呼ぶ。また、プログラムには、使用している作業ファイル４２Ａ、４２Ｂを顧客の操作ではなく定期的に保存する自動保存機能や、作業ファイル４２Ａ、４２Ｂのバックアップファイルを作成して保存するバックアップ保存機能などが備わっているものもある。また、本実施形態では、２つの他のプログラム４１Ａ、４１Ｂがコンピュータ４０上で実行されているが、顧客６０の操作により複数の他のプログラムが実行されている場合もある。
【００４６】
雷情報取得プログラム１０は、常駐したコンピュータ４０の設置場所に関する雷情報３を定期的に取得する雷情報取得手段１１と、コンピュータ４０を機能させる他のプログラム４１Ａ、４１Ｂ及びこれらが使用している作業ファイル４２Ａ、４２Ｂを監視してそれぞれのファイル情報４Ａ、４Ｂを取得する監視手段１２と、雷情報取得手段１１が取得した雷情報３と監視手段１２が取得したファイル情報４Ａ、４Ｂとに基づいて、顧客６０に対して他のプログラム４１Ａ、４１Ｂの使用している作業ファイル４２Ａ、４２Ｂを保存する旨の警報（保存警報５）を発する警報手段１３としてコンピュータ４０を機能させるものである。
【００４７】
雷情報取得手段１１は、常駐したコンピュータ４０の設置場所を取得し、コンピュータの設置場所に関する雷情報３、すなわち、落雷位置標定装置５０が検出した落雷情報２及び気象協会から得た発雷予測情報１を雷情報サーバ２０のデータベース２２から取得する。雷情報取得手段１１は、コンピュータ４０の設置場所を、例えば、コンピュータ４０に登録されたユーザ情報や、雷情報取得プログラム１０が初めて起動された際に顧客６０に入力させることにより住所として取得する。このようにコンピュータ４０の設置場所の住所を取得したならば、雷情報取得手段１１は、コンピュータ４０の設置された住所を分割された区画に照らし合わせて区画情報６として保持する。そして、雷情報取得手段１１は、保持した区画情報６と同じ区画の雷情報３を雷情報サーバ２０のデータベース２２から定期的に取得する。この雷情報取得手段１１が雷情報３を取得する間隔は、例えば、数分間隔などであり、顧客６０により設定できるようにしてもよい。
【００４８】
また、雷情報取得手段１１が取得する雷情報３は、現状での落雷を示す落雷情報２と、所定時間後の発雷を予測する発雷予測情報１とであり、現状での落雷及び予測される発雷がない場合には、雷情報取得手段１１は、落雷情報２及び発雷予測情報１が空の状態の雷情報３を取得する。
【００４９】
監視手段１２は、コンピュータ４０上で機能している他のプログラム４１Ａ、４１Ｂ及びこれらが使用している作業ファイル４２Ａ、４２Ｂを監視して作業ファイル４２Ａ、４２Ｂのファイル情報４Ａ、４Ｂを取得する。この監視手段１２が取得する作業ファイル４２Ａ、４２Ｂのファイル情報４Ａ、４Ｂは、本実施形態では、顧客６０の操作により又は他のプログラム４１Ａ、４１Ｂの自動保存機能により作業ファイル４２Ａ、４２Ｂが保存された保存時刻などである。監視手段１２は、保存時刻であるファイル情報４Ａ、４Ｂを取得することによって、作業ファイル４２Ａ、４２Ｂの保存がいつ行われたか把握することができる。
【００５０】
そして、警報手段１３は、雷情報取得手段１１が取得した雷情報３に落雷情報２又は発雷予測情報１があった場合に、顧客６０に対して作業ファイル４２Ａ、４２Ｂを保存する旨の保存警報５を発する。また、監視手段１２は、警報手段１３が保存警報５を発してからも作業ファイル４２Ａ、４２Ｂを監視し、監視手段１３が保存警報５から所定時間内に作業ファイル４２Ａ、４２Ｂの保存を検出しなかった場合、すなわち、顧客６０が保存警報５に従わなかった場合には、警報手段１３は、他のプログラム４１Ａ、４１Ｂに作業ファイル４２Ａ、４２Ｂを強制的に保存させる。すなわち、警報手段１３は、顧客６０に対して作業ファイル４２Ａ、４２Ｂを保存させる保存警報５を発した後、顧客６０が作業ファイル４２Ａ、４２Ｂの保存を所定時間以上行わなかったときに、他のプログラム４１Ａ、４１Ｂに自動的に作業ファイル４２Ａ、４２Ｂを保存させるようにしている。
【００５１】
このように、雷情報取得プログラム１０をコンピュータ４０上で動作させることにより、コンピュータ４０の設置場所で落雷の発生や、所定時間後に発雷が予測される場合などに、顧客６０に対してコンピュータ４０の他のプログラム４１Ａ、４１Ｂが使用している作業ファイル４２Ａ、４２Ｂを保存する保存警報５を発すると共に、顧客６０が所定時間以内に保存警報５の指示に従わない場合には、自動的に作業ファイル４２Ａ、４２Ｂを他のプログラム４１Ａ、４１Ｂに保存させて、雷サージや瞬時電圧低下によって作業ファイル４２Ａ、４２Ｂが紛失するのを防止することができる。
【００５２】
また、本実施形態では、警報手段１３は、作業ファイル４２Ａ、４２Ｂを保存させたら、さらに、顧客６０に対してコンピュータ４０の電源を切断する旨の警報（切断警報７）を発するようになっている。この切断警報７の場合も上述した保存警報５と同様に、切断警報７が発せられてから顧客６０がコンピュータ４０の電源を所定時間以内に切断しなかった場合には、コンピュータ４０上で動作するオペレーションシステム（ＯＳ）にコンピュータ４０の電源を切断させるようになっている。
【００５３】
このように、雷情報取得プログラム１０が顧客６０に対してコンピュータ４０の電源を切断させる切断警報７を発すると共に、顧客６０が所定時間以内に切断警報７の指示に従わなかった場合には、自動的にコンピュータ４０上で動作するＯＳにコンピュータ４０の電源を切断させることで、雷サージや瞬時電圧低下によるコンピュータ４０の破損を確実に防止することができる。
【００５４】
また、雷情報取得プログラム１０は、顧客６０がコンピュータ４０の操作をしなくても、自動的に作業ファイル４２Ａ、４２Ｂの保存、コンピュータ４０の電源の切断を行うことができるため、顧客６０がコンピュータ４０の前から席を外している場合や、常に稼働させているサーバ用途のコンピュータでも、雷サージや瞬時電圧低下を確実に防止することができる。
【００５５】
なお、警報手段１３が顧客６０に対して発する各種警報は、例えば、モニタへの表示や音などにより行うことができる。また、警報手段１３は、発雷予測情報１の発雷が予測される時刻（発雷予測時刻）に合わせて、発雷予測時刻の所定時間前に警報を発するようにしてもよい。
【００５６】
さらに、警報手段１３は、警報手段１３が発する保存警報５を、作業ファイル４２Ａ、４２Ｂを保存してよいか顧客６０の承諾を求める警報とし、この警報に顧客６０が承認した場合に他のプログラム４１Ａ、４１Ｂに作業ファイル４２Ａ、４２Ｂを自動的に保存させるようにしてもよい。
【００５７】
また、警報手段１３は、雷情報３の内容、すなわち、現状でコンピュータ４０の設置場所に落雷が発生している落雷情報２なのか、所定時間後に発雷が予測される発雷予測情報１なのかに応じて、発する警報のレベルを変えるようにしてもよい。例えば、雷情報３に落雷情報２が含まれていた場合、現状でコンピュータ４０の設置場所に落雷が発生しており、コンピュータ４０が雷サージや瞬時電圧低下によって破壊される危険性が高いため、警報手段１３は、自動的に作業ファイル４２Ａ、４２Ｂを他のプログラム４１Ａ、４１Ｂに保存させると共に、自動的にコンピュータ４０の電源を切断させるようにすればよい。また、雷情報３に発雷予測情報１が含まれていた場合、所定時間後にコンピュータ４０の設置場所での発雷が予測されるため、上述のように、顧客６０に作業ファイル４２Ａ、４２Ｂを保存させる旨の保存警報５を発すると共に、顧客６０が所定時間以内に保存警報５の指示に従わなかった場合に作業ファイル４２Ａ、４２Ｂを自動的に保存すればよい。同様に、コンピュータ４０の電源に対しても切断警報７を発した後、顧客６０が切断警報７の指示に従わなかった場合に自動的にコンピュータ４０の電源を切断すればよい。
【００５８】
また、雷情報取得手段１１は、コンピュータ４０の設置場所を区画に照らし合わせて、コンピュータ４０の設置された住所に該当する区画の雷情報３を取得するが、例えば、該当する区画の周辺区画の雷情報も取得するようにしてもよい。そして、取得した複数の区画の雷情報のうち、コンピュータ４０の設置場所の区画以外の周辺区画に落雷している又は発雷が予測される場合には、警報手段１３が、落雷している又は発雷が予測される区画とコンピュータ４０の設置場所に該当する区画との距離に応じて上述のように警報のレベルや処理を変えるようにしてもよい。このようにコンピュータ４０の設置場所の区画以外の周辺区画の雷情報を取得することで、雷サージや瞬時電圧低下による作業ファイル４２Ａ、４２Ｂの紛失やコンピュータ４０の破壊などをさらに確実に防止することができる。
【００５９】
さらに、雷情報取得手段１１が、雷情報サーバ２０から区画情報６に対応する雷情報３を定期的に取得するようにしたが、特にこれに限定されず、例えば、雷情報サーバ２０から雷情報３を取得すると共に顧客情報のデータベースを保持する配信サーバを設け、配信サーバが各顧客６０に適合する雷情報３を配信するようにしてもよい。この場合、雷情報取得手段は、コンピュータ４０に常駐して配信サーバから雷情報３を配信されるのを常に待機するようにすればよい。
【００６０】
ここで、雷情報取得プログラム１０の処理の一例を図３を参照して説明する。なお、図３は、雷情報取得プログラムの処理を示すフローチャートである。
【００６１】
まず、ステップＳ１で雷情報取得手段１１が定期的に雷情報３を取得すると、ステップＳ２で警報手段１３が雷情報３に落雷情報２が含まれているか判断し、雷情報３に落雷情報２が含まれている場合（ステップＳ２；Ｙｅｓ）、ステップＳ３で監視手段１２が実行されている他のプログラム４１Ａ、４１Ｂを検出する。ステップＳ３で実行されている他のプログラム４１Ａ、４１Ｂが検出された場合には（ステップＳ３；Ｙｅｓ）、ステップＳ４で警報手段１３が顧客６０に作業ファイル４２Ａ、４２Ｂを保存する旨の保存警報５を発する。そして、ステップＳ５で監視手段１２が作業ファイル４２Ａ、４２Ｂの保存が行われたのを検出した場合には（ステップＳ５；Ｙｅｓ）、ステップＳ６で警報手段１３が顧客６０に対してコンピュータ４０の電源を切断する旨の切断警報７を発する。また、ステップＳ５で監視手段１２が作業ファイル４２Ａ、４２Ｂの保存が行われたのを検出しない場合には（ステップＳ５；Ｎｏ）、ステップＳ７で警報手段１３が保存警報５を発してから一定時間経過したか判断し、一定時間経過した場合には（ステップＳ７；Ｙｅｓ）、ステップＳ８で警報手段１３が他のプログラム４１Ａ、４１Ｂに作業ファイル４２Ａ、４２Ｂを保存させる。また、ステップＳ７で保存警報５を発してから一定時間経過していない場合には（ステップＳ７；Ｎｏ）、ステップＳ５〜ステップＳ７を繰り返す。すなわち、作業ファイル４２Ａ、４２Ｂが顧客６０の操作により保存された場合には、ステップＳ６に進み、作業ファイル４２Ａ、４２Ｂが一定時間経過しても顧客６０の操作により又は他のプログラム４１Ａ、４１Ｂの自動保存機能などにより保存されない場合には、警報手段１３が自動的に他のプログラム４１Ａ、４１Ｂに作業ファイル４２Ａ、４２Ｂの保存を行わせるようになっている。
【００６２】
また、コンピュータ４０上で他のプログラム４１Ａ、４１Ｂが動作されていないとき、すなわち、ステップＳ３で監視手段１２が他のプログラム４１Ａ、４１Ｂの実行を検出しない場合には（ステップＳ３；Ｎｏ）、ステップＳ６で警報手段１３がコンピュータ４０の電源を切断させる旨の切断警報７を発する。
【００６３】
そして、切断警報７を発した後、ステップＳ９で顧客６０によりコンピュータ４０の電源が切断された場合には（ステップＳ９；Ｙｅｓ）、コンピュータ４０の電源が切断されると同時に雷情報取得プログラム１０も停止する。また、ステップＳ９で顧客６０によりコンピュータ４０の電源が切断されない場合には（ステップＳ９；Ｎｏ）、ステップＳ１０で警報手段１３が切断警報７を発してから一定時間経過したか判断し、一定時間経過した場合には（ステップＳ１０；Ｙｅｓ）、ステップＳ１１で警報手段１３が自動的にコンピュータ４０の電源をＯＳに切断させる。また、ステップＳ１０で切断警報７を発してから一定時間経過していない場合には（ステップＳ１０；Ｎｏ）、ステップＳ９〜ステップＳ１０を繰り返す。すなわち、切断警報７によって顧客６０がコンピュータ４０の電源を一定時間切断しない場合には、警報手段１３がＯＳにコンピュータ４０の電源を自動的に切断させるようになっている。
【００６４】
また、ステップＳ２で雷情報３に落雷情報２が含まれていない場合には（ステップＳ２；Ｎｏ）、ステップＳ１２で雷情報３に発雷予報情報１が含まれているか判断し、雷情報３に発雷予測情報１が含まれている場合には（ステップＳ１２；Ｙｅｓ）、ステップＳ１３で警報手段１３は発雷予測時刻の所定時間前か判断する。そして、警報手段１３が発雷予測時刻の所定時間前と判断した場合には（ステップＳ１３；Ｙｅｓ）、上述したステップＳ３〜ステップＳ１１の作業ファイル４２Ａ、４２Ｂの保存及びコンピュータ４０の電源の切断を行う。また、警報手段１３が発雷予測時刻の所定時間前と判断しない場合、すなわち、発雷予測時刻の所定時間前となる前には（ステップＳ１３；Ｎｏ）、ステップＳ１に戻り、雷情報取得手段１１が雷情報３を取得する。また、ステップＳ１２で発雷予測情報１が含まれていない場合には、ステップＳ１に戻り雷情報取得手段１１が雷情報３を取得する。すなわち、雷情報３に発雷予測情報１が含まれていた場合には、発雷予測時刻の所定時間前となる時点まで、雷情報取得手段１１が定期的に雷情報３を取得して、雷情報サーバ２０に格納された発雷の予測の変更があった場合にも対処できるようにしている。
【００６５】
このように、雷情報取得プログラム１０をコンピュータ４０上で動作させることにより、コンピュータ４０の設置場所で落雷の発生や、所定時間後に発雷が予測される場合などに、顧客６０に対してコンピュータ４０の他のプログラム４１Ａ、４１Ｂが使用している作業ファイル４２Ａ、４２Ｂを保存する旨の保存警報５を発すると共に、顧客６０が所定時間以内に保存警報５の指示に従わない場合には、自動的に作業ファイル４２Ａ、４２Ｂを他のプログラム４１Ａ、４１Ｂに保存させて、雷サージや瞬時電圧低下によって作業ファイル４２Ａ、４２Ｂが紛失するのを防止することができる。また、雷情報取得プログラム１０が顧客６０に対してコンピュータ４０の電源を切断させる旨の切断警報７を発すると共に、顧客６０が所定時間以内に切断警報７の指示に従わなかった場合には、自動的にコンピュータ４０上で動作するＯＳに電源を切断させることで、雷サージや瞬時電圧低下によるコンピュータ４０の破損を防止することができる。
【００６６】
また、上述した雷情報取得プログラム１０は、フロッピーディスク（登録商標）やＣＤ−ＲＯＭ（登録商標）などのコンピュータ読み取り可能な記録媒体に記録して配布することができる。もちろん、インターネットを介して容易に配信することもできる。
【００６７】
さらに、上述した雷情報取得プログラム１０の雷情報取得手段１１、監視手段１２及び警報手段１３の各手段を、機能としてコンピュータに設けるようにしてもよい。すなわち、予め雷情報取得手段１１、監視手段１２及び警報手段１３の各手段を有するコンピュータとしてもよい。
【図面の簡単な説明】
【００６８】
【図１】本発明の一実施形態に係るネットワークの概略を示す図である。
【図２】本発明の一実施形態に係る雷情報取得プログラムを示すブロック図である。
【図３】本発明の一実施形態に係る雷情報取得プログラムの処理を示すフローチャートである。
【符号の説明】
【００６９】
１  発雷予測情報
２  落雷情報
３  雷情報
４Ａ、４Ｂ  ファイル情報
５  保存警報
６  区画情報
７  切断警報
１０  雷情報取得プログラム
１１  雷情報取得手段
１２  監視手段
１３  警報手段
２０  雷情報サーバ
３０  ネットワーク
４０  コンピュータ
５０  落雷位置標定装置
６０  顧客
【図１】
2005222296.tif 000003
【図２】
2005222296.tif 000004
【図３】
2005222296.tif 000005